【手続補正書】
【提出日】平成16年6月3日(2004.6.3)
【手続補正１】
【補正対象書類名】明細書
【補正対象項目名】発明の名称
【補正方法】変更
【補正の内容】
【発明の名称】コントローラ部動作検証システム、画像処理装置、画像データ出力制御方法、記憶媒体、及びプログラム
【手続補正２】
【補正対象書類名】明細書
【補正対象項目名】特許請求の範囲
【補正方法】変更
【補正の内容】
【特許請求の範囲】
【請求項１】
画像データを生成するコントローラ部と、前記コントローラ部の動作を検証するコントローラ部動作検証装置とを備えたコントローラ部動作検証システムであって、
前記コントローラ部は、入力画像データを出力画像信号に変換する第１の変換手段と、前記入力画像データをシリアル信号に変換する第２の変換手段と、前記第１の変換手段又は前記第２の変換手段の出力信号を選択して出力する出力信号選択手段とを有し、
前記コントローラ部動作検証装置は、前記出力信号選択手段により選択され出力された前記第２の変換手段の出力信号を前記入力画像データに復元するデータ復元手段を有することを特徴とするコントローラ部動作検証システム。
【請求項２】
前記コントローラ部は、前記画像データに基づき媒体に画像を形成するエンジン部と協働して画像出力装置を構成することを特徴とする請求項１記載のコントローラ部動作検証システム。
【請求項３】
前記第１の変換手段は、中間調デジタル画像データをパルス幅変調信号に変換することを特徴とする請求項１記載のコントローラ部動作検証システム。
【請求項４】
前記第２の変換手段は、中間調デジタル画像データをシリアル信号に変換することを特徴とする請求項１記載のコントローラ部動作検証システム。
【請求項５】
前記コントローラ部は、外部インターフェース手段を介してデータを取得するデータ取得手段と、前記データ取得手段により取得したデータに基づき前記コントローラ部に対する接続先装置の種別を判別する判別手段と、前記判別手段の判別結果に基づき前記出力信号選択手段を制御する制御手段とを有することを特徴とする請求項１乃至４の何れかに記載のコントローラ部動作検証システム。
【請求項６】
前記接続先装置とは、前記画像出力装置の前記エンジン部又は前記コントローラ部動作検証装置の何れかであることを特徴とする請求項５記載のコントローラ部動作検証システム。
【請求項７】
前記画像出力装置とは、画像形成機能を備えたプリンタ、画像読取機能・画像形成機能を備えた複写機、画像読取機能・画像形成機能・ファクシミリ機能等の複数の機能を備えた複合機を含むことを特徴とする請求項２記載のコントローラ部動作検証システム。
【請求項８】
画像データを生成し、コントローラ部動作検証装置と接続可能な画像処理装置であって、
入力画像データを出力画像信号に変換する第１の変換手段と、前記入力画像データをシリアル信号に変換する第２の変換手段と、前記第１の変換手段又は前記第２の変換手段の出力信号を選択して出力する出力信号選択手段とを有することを特徴とする画像処理装置。
【請求項９】
前記画像処理装置は、前記画像データに基づき媒体に画像を形成するエンジン部と協働して画像出力装置を構成することを特徴とする請求項８記載の画像処理装置。
【請求項１０】
前記第１の変換手段は、中間調デジタル画像データをパルス幅変調信号に変換することを特徴とする請求項８記載の画像処理装置。
【請求項１１】
前記第２の変換手段は、中間調デジタル画像データをシリアル信号に変換することを特徴とする請求項８記載の画像処理装置。
【請求項１２】
外部インターフェース手段を介してデータを取得するデータ取得手段と、前記データ取得手段により取得したデータに基づき前記コントローラ部に対する接続先装置の種別を判別する判別手段と、前記判別手段の判別結果に基づき前記出力信号選択手段を制御する制御手段とを有することを特徴とする請求項８乃至１１の何れかに記載の画像処理装置。
【請求項１３】
前記接続先装置とは、前記画像出力装置の前記エンジン部又は前記コントローラ部動作検証装置の何れかであることを特徴とする請求項１２記載の画像処理装置。
【請求項１４】
前記画像出力装置とは、画像形成機能を備えたプリンタ、画像読取機能・画像形成機能を備えた複写機、画像読取機能・画像形成機能・ファクシミリ機能等の複数の機能を備えた複合機を含むことを特徴とする請求項９記載の画像処理装置。
【請求項１５】
前記出力信号選択手段により選択され出力された前記第２の変換手段の出力信号を、前記入力画像データに復元するデータ復元手段を有することを特徴とする請求項８乃至１４の何れかに記載の画像処理装置。
【請求項１６】
画像データを生成し、コントローラ部動作検証装置と接続可能な画像処理装置に適用される画像データ出力制御方法であって、
入力画像データを出力画像信号に変換する第１の変換ステップと、前記入力画像データをシリアル信号に変換する第２の変換ステップと、前記第１の変換ステップ又は前記第２の変換ステップの出力信号を選択して出力する出力信号選択ステップとを有することを特徴とする画像データ出力制御方法。
【請求項１７】
前記画像データを生成する画像処理装置は、前記画像データに基づき媒体に画像を形成するエンジン部と協働して画像出力装置を構成することを特徴とする請求項１６記載の画像データ出力制御方法。
【請求項１８】
前記第１の変換ステップでは、中間調デジタル画像データをパルス幅変調信号に変換することを特徴とする請求項１６記載の画像データ出力制御方法。
【請求項１９】
前記第２の変換ステップでは、中間調デジタル画像データをシリアル信号に変換することを特徴とする請求項１６記載の画像データ出力制御方法。
【請求項２０】
前記コントローラ部動作検証装置が前記画像処理装置の前記出力信号選択ステップにより選択され出力された前記第２の変換ステップの出力信号を、前記入力画像データに復元するデータ復元ステップを有することを特徴とする請求項１６乃至１９の何れかに記載の画像データ出力制御方法。
【請求項２１】
外部インターフェース手段を介してデータを取得するデータ取得ステップと、前記データ取得ステップにより取得したデータに基づき前記コントローラ部に対する接続先装置の種別を判別する判別ステップと、前記判別ステップの判別結果に基づき前記出力信号選択ステップを制御する制御ステップとを有することを特徴とする請求項１６乃至２０の何れかに記載の画像データ出力制御方法。
【請求項２２】
画像データを生成し、コントローラ部動作検証装置と接続可能な画像処理装置に適用される画像データ出力制御方法を実行するプログラムを記憶したコンピュータにより読み出し可能な記憶媒体であって、
前記画像データ出力制御方法は、入力画像データを出力画像信号に変換する第１の変換ステップと、前記入力画像データをシリアル信号に変換する第２の変換ステップと、前記第１の変換ステップ又は前記第２の変換ステップの出力信号を選択して出力する出力信号選択ステップとを有することを特徴とする記憶媒体。
【請求項２３】
前記記憶媒体は、前記画像データに基づき媒体に画像を形成するエンジン部と協働して画像出力装置を構成することを特徴とする請求項２２記載の記憶媒体。
【請求項２４】
前記第１の変換ステップでは、中間調デジタル画像データをパルス幅変調信号に変換することを特徴とする請求項２２記載の記憶媒体。
【請求項２５】
前記第２の変換ステップでは、中間調デジタル画像データをシリアル信号に変換することを特徴とする請求項２２記載の記憶媒体。
【請求項２６】
前記画像データ出力制御方法は、前記コントローラ部動作検証装置が前記画像処理装置の前記出力信号選択ステップにより選択され出力された前記第２の変換ステップの出力信号を、前記入力画像データに復元するデータ復元ステップを有することを特徴とする請求項２２乃至２５の何れかに記載の記憶媒体。
【請求項２７】
前記画像データ出力制御方法は、外部インターフェース手段を介してデータを取得するデータ取得ステップと、前記データ取得ステップにより取得したデータに基づき前記コントローラ部に対する接続先装置の種別を判別する判別ステップと、前記判別ステップの判別結果に基づき前記出力信号選択ステップを制御する制御ステップとを有することを特徴とする請求項２２乃至２６の何れかに記載の記憶媒体。
【請求項２８】
画像データを生成し、コントローラ部動作検証装置と接続可能な画像処理装置の制御方法をコンピュータに実行させるプログラムであって、
入力画像データを出力画像信号に変換する第１の変換ステップと、前記入力画像データをシリアル信号に変換する第２の変換ステップと、前記第１の変換ステップ又は前記第２の変換ステップの出力信号を選択して出力する出力信号選択ステップとを有することを特徴とするプログラム。
【請求項２９】
前記画像処理装置は、前記画像データに基づき媒体に画像を形成するエンジン部と協働して画像出力装置を構成することを特徴とする請求項２８記載のプログラム。
【請求項３０】
前記第１の変換ステップでは、中間調デジタル画像データをパルス幅変調信号に変換することを特徴とする請求項２８記載のプログラム。
【請求項３１】
前記第２の変換ステップでは、中間調デジタル画像データをシリアル信号に変換することを特徴とする請求項２８に記載のプログラム。
【請求項３２】
前記コントローラ部動作検証装置が前記画像処理装置の前記出力信号選択ステップにより選択され出力された前記第２の変換ステップの出力信号を、前記入力画像データに復元するデータ復元ステップを有することを特徴とする請求項２８乃至３１の何れかに記載のプログラム。
【請求項３３】
外部インターフェース手段を介してデータを取得するデータ取得ステップと、前記データ取得ステップにより取得したデータに基づき前記コントローラ部に対する接続先装置の種別を判別する判別ステップと、前記判別ステップの判別結果に基づき前記出力信号選択ステップを制御する制御ステップとを有することを特徴とする請求項２８乃至３２の何れかに記載のプログラム。
【手続補正３】
【補正対象書類名】明細書
【補正対象項目名】０００１
【補正方法】変更
【補正の内容】
【０００１】
【発明の属する技術分野】
本発明は、コントローラ部動作検証システム、画像処理装置、画像データ出力制御方法、記憶媒体、及びプログラムに関し、特に、画像データを紙等のメディアに出力するエンジン部と協働してプリンタを構成するコントローラ部の動作を検証し、プリンタの開発を支援するプリンタエミュレート装置に適用する場合に好適なコントローラ部動作検証システム、画像処理装置、画像データ出力制御方法、記憶媒体、及びプログラムに関する。
【手続補正４】
【補正対象書類名】明細書
【補正対象項目名】００１１
【補正方法】変更
【補正の内容】
【００１１】
本発明は、上述した点に鑑みなされたものであり、正確な出力画像データの検証作業による画像出力装置の開発効率の向上を図ることを可能としたコントローラ部動作検証システム、画像処理装置、画像データ出力制御方法、記憶媒体、及びプログラムを提供することを目的とする。
【手続補正５】
【補正対象書類名】明細書
【補正対象項目名】００１２
【補正方法】変更
【補正の内容】
【００１２】
【課題を解決するための手段】
上記目的を達成するため、本発明は、画像データを生成するコントローラ部と、前記コントローラ部の動作を検証するコントローラ部動作検証装置とを備えたコントローラ部動作検証システムであって、前記コントローラ部は、入力画像データを出力画像信号に変換する第１の変換手段と、前記入力画像データをシリアル信号に変換する第２の変換手段と、前記第１の変換手段又は前記第２の変換手段の出力信号を選択して出力する出力信号選択手段とを有し、前記コントローラ部動作検証装置は、前記出力信号選択手段により選択され出力された前記第２の変換手段の出力信号を前記入力画像データに復元するデータ復元手段を有することを特徴とする。
【手続補正６】
【補正対象書類名】明細書
【補正対象項目名】００１３
【補正方法】変更
【補正の内容】
【００１３】
また、本発明は、画像データを生成し、コントローラ部動作検証装置と接続可能な画像処理装置であって、入力画像データを出力画像信号に変換する第１の変換手段と、前記入力画像データをシリアル信号に変換する第２の変換手段と、前記第１の変換手段又は前記第２の変換手段の出力信号を選択して出力する出力信号選択手段とを有することを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
また、本発明は、画像データを生成し、コントローラ部動作検証装置と接続可能な画像処理装置に適用される画像データ出力制御方法であって、入力画像データを出力画像信号に変換する第１の変換ステップと、前記入力画像データをシリアル信号に変換する第２の変換ステップと、前記第１の変換ステップ又は前記第２の変換ステップの出力信号を選択して出力する出力信号選択ステップとを有することを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、本発明は、画像データを生成し、コントローラ部動作検証装置と接続可能な画像処理装置に適用される画像データ出力制御方法を実行するプログラムを記憶したコンピュータにより読み出し可能な記憶媒体であって、前記画像データ出力制御方法は、入力画像データを出力画像信号に変換する第１の変換ステップと、前記入力画像データをシリアル信号に変換する第２の変換ステップと、前記第１の変換ステップ又は前記第２の変換ステップの出力信号を選択して出力する出力信号選択ステップとを有することを特徴とする。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
また、本発明は、画像データを生成し、コントローラ部動作検証装置と接続可能な画像処理装置の制御方法をコンピュータに実行させるプログラムであって、入力画像データを出力画像信号に変換する第１の変換ステップと、前記入力画像データをシリアル信号に変換する第２の変換ステップと、前記第１の変換ステップ又は前記第２の変換ステップの出力信号を選択して出力する出力信号選択ステップとを有することを特徴とする。
【手続補正１３】
【補正対象書類名】明細書
【補正対象項目名】００２０
【補正方法】削除
【補正の内容】